(57)【特許請求の範囲】
【請求項１】
親局と複数の子局とで構成され、上記親局への上りフレームと上記子局への下りフレームとで交信する受動光ネットワークにおける制御システムにおいて、
上記親局は、個々の上記子局から送信されたミニスロットの受信状態を検出し、この検出結果に基いてミニスロットの障害状態を子局毎に示すミニスロット用保守信号を発生する子局対応部、を備えたことを特徴とする受動光ネットワークにおける制御システム。
【請求項２】
親局は、
（１）Ｎ（Ｎは正の整数）回連続して上記ミニスロットを期待する期間に有効な光信号を受信しないか、
（２）Ｎ回連続して無効なデリミッタを受信するか、
（３）有効なデリミッタを受信できる場合に、受信したミニスロットの位相が制限を超過し、子局で調整が出来ないか、
のいずれかの状態を検出した場合にミニスロット用保守信号を発生することを特徴とする請求項１記載の受動光ネットワークにおける制御システム。
【請求項３】
親局は、発生したミニスロット用保守信号に基いて対応する子局の上りフレームの帯域を割当てる動的帯域割当て制御機能部を備えたことを特徴とする請求項１記載の受動光ネットワークにおける制御システム。
【請求項４】
親局は、
動的帯域割当て制御機能部が制御する運用状態において、分割スロットグラントと一致する光信号を受信した場合にミニスロット用保守信号を解除することを特徴とする請求項３記載の受動光ネットワークにおける制御システム。
【請求項５】
動的帯域割当て制御機能部は、各子局の上りフレームの帯域を動的に割り当てることを特徴とする請求項３記載の受動光ネットワークにおける制御システム。
【請求項６】
動的帯域割当て制御機能部は、自身が制御する運用状態において、子局対応部が発生するミニスロット用保守信号と関連して上記運用の状態遷移を行うことを特徴とする請求項３記載の受動光ネットワークにおける制御システム。
【請求項７】
親局は、発生したミニスロット用保守信号に基いて各子局の運用の状態を制御することを特徴とする請求項１記載の受動光ネットワークにおける制御システム。
【請求項８】
親局と複数の子局とで構成されて上記親局への上りフレームと上記子局への下りフレームとで相互に交信する受動光ネットワークにおける制御方法において、
上記親局において、個々の上記子局から送信されたミニスロットの受信状態を検出し、この検出結果に基いてミニスロットの障害状態を子局毎に示すミニスロット用保守信号を発生するステップ、を備えたことを特徴とする受動光ネットワークにおける制御方法。
【請求項９】
親局は、
（１）Ｎ（Ｎは正の整数）回連続して上記ミニスロットを期待する期間に有効な光信号を受信しないか、
（２）Ｎ回連続して無効なデリミッタを受信するか、
（３）有効なデリミッタを受信できる場合に、受信したミニスロットの位相が制限を超過し、子局で調整が出来ないか、
のいずれかの状態を検出した場合にミニスロット用保守信号を発生することを特徴とする請求項８記載の受動光ネットワークにおける制御方法。
【請求項１０】
親局は、発生したミニスロット用保守信号に基いて対応する子局の上りフレームの帯域を割当てる動的帯域割当て制御ステップ、を備えたことを特徴とする請求項８記載の受動光ネットワークにおける制御方法。
【請求項１１】
親局は、
動的帯域割当て制御ステップで制御する運用状態において、分割スロットグラントと一致する光信号を受信すると、ミニスロット用保守信号を解除することを特徴とする請求項１０記載の受動光ネットワークにおける制御方法。
【請求項１２】
動的帯域割当て制御ステップでは、各子局の上りフレームの帯域を動的に割り当てることを特徴とする請求項１０記載の受動光ネットワークにおける制御方法。
【発明の詳細な説明】
【０００１】
【発明の属する技術分野】
本発明は、ＰＯＮ（Ｐａｓｓｉｖｅ  Ｏｐｔｉｃａｌ  Ｎｅｔｗｏｒｋ）の物理インタフェースを規定する国際標準ＩＴＵ−Ｔ  Ｇ．９８３．１の分割スロット上のミニスロットに対応した保守信号とミニスロットを適用した上り伝送方向の動的帯域割り当て（ＤＢＡ）の状態制御方法に関するものである。
【０００２】
【従来の技術】
図３は例えば、１台のＯＬＴ（光伝送路終端−親局）１０１と複数のＯＮＵ（光網終端装置−子局）１０２〜１０４がスターカプラ１０５で接続されているＤＢＡ機能を有するＰＯＮのシステム形態を示す。図４は、このＰＯＮシステムにおいて適用される、従来のＰＯＮの物理インタフェースを規定する国際標準ＩＴＵ−Ｔ  Ｇ．９８３．１記載のＰＯＮの下りフレームフォーマット１５１、および、上り方向のフレームフォーマット１５２である。また、図５は、ＯＬＴが個々のＯＮＵに対して起動および停止制御を実施する際の動作を規定する国際標準ＩＴＵ−Ｔ  Ｇ．９８３．１記載のＯＬＴ個別ＯＮＵ対応部の状態を管理する状態遷移表である。また、図６は、ＯＬＴにおける上りフレームのＡＴＭセルとＰＬＯＡＭセルの受信状態を示すＯＮＵ毎に設けられた保守信号に関する、国際標準ＩＴＵ−Ｔ  Ｇ．９８３．１記載の検出および解除条件の例である。さらに、図７は、上りフレームに関する、国際標準ＩＴＵ−Ｔ  Ｇ．９８３．１記載の分割スロット内のミニスロットの形式を示すフォーマットである。
図３のＯＬＴ１０１は、個別ＯＮＵ対応部１０６Ｂ、下りフレーム生成機能１０７、上り帯域制御機能１０８、ＤＢＡ制御機能１０９Ｂ、上りフレーム終端機能１１０、ミニスロット終端機能１１１から構成される。また、ＯＮＵ１０３は、下りフレーム終端機能１１２、上り帯域検出機能１１３、上りセルバッファ機能１１４、バッファ状態監視機能１１５、および、上りセル生成機能１１６から構成される。
【０００３】
以下に図３を用いて、ＰＯＮの動作を説明する。
ＯＬＴ１０１は、ＡＴＭセルで構成される下り主信号１２２を受信し、下りフレーム生成機能１０７により、下りフレーム信号１２４を生成する。さらに詳しくは、下りフレーム生成機能１０７は、個別ＯＮＵ対応部１０６ＢからのＯＮＵに対する制御情報１２６と、上り帯域制御機能１０８からの上り帯域情報１２５とが入力されて、下り方向のＰＬＯＡＭセルを生成し、下りフレーム信号１２４に挿入する。個別ＯＮＵ対応部１０６Ｂは、各ＯＮＵに関する情報を制御信号１２１として外部のオペレーションシステムとの間で通知し合う。
各ＯＮＵからの上りフレーム信号１２９は、通常セルに関しては上りフレーム終端機能１１０で、ミニスロットに関してはミニスロット終端機能１１１で終端される。上りフレーム終端機能１１０は、通常セルを終端する際、上り方向のＰＬＯＡＭセルを検出し、ＰＬＯＡＭセルに対応したＯＮＵの制御情報１３０を個別ＯＮＵ対応部１０６Ｂに通知すると同時に、ＰＬＯＡＭセル以外のＡＴＭセルについては、上り主信号１２３として出力する。ミニスロット終端機能１１１で終端されたミニスロット内のミニスロットに対応したＯＮＵの上り方向セルバッファの状態情報１３１は、ＤＢＡ（Ｄｙｎａｍｉｃ  Ｂａｎｄｗｉｄｔｈ  Ａｌｌｏｃａｔｉｏｎ）制御機能１０９Ｂに通知される。また、個別ＯＮＵ対応の状態情報および上り帯域情報１２７、１３２は、ＤＢＡ制御機能１０９Ｂと上り帯域制御機能１０８に通知され、上り伝送方向の動的帯域割り当て（ＤＢＡ）動作をする。
【０００４】
ＯＮＵ１０３は、下りフレーム信号１４３を下りフレーム終端機能１１２が終端することで、自ＯＮＵ宛のＡＴＭセルで構成される下り主信号１４１を抽出する。詳しくは、下り方向のＰＬＯＡＭセル１４４を抽出し、上り帯域検出機能１１３において上りセルの出力制御情報１４５を上りセル生成機能１１６に出力する。
また、ＡＴＭセルで構成される上り主信号１４２は、一旦、上りセルバッファ１１４に保持され、上りセル生成機能１１６の指示の基にセル情報１４６として読み出される。読み出されたセル情報１４６は上りセル生成機能１１６でヘッダを付加され上りフレーム信号１４９として出力される。上りセルバッファ１１４のバッファ状態情報１４７は、バッファ状態監視機能１１５により常時監視され、ミニスロットにマッピングするバッファ状態情報１４８として上りセル生成機能１１６に出力する。
【０００５】
以下、図４に記載したＰＯＮシステムに適用する下り方向と上り方向のフレームフォーマットを説明する。
図４において、下りフレームフォーマット１５１は５３バイトの固定長のＡＴＭセルが５６セル連続的に配置されており、第１番目と第２９番目にＯＬＴとＯＮＵ間で監視および制御を行うＰＬＯＡＭセルが配置されている。
上りフレームフォーマット１５２は５６バイトのセルが５３セル配置されている。ここで、５６バイトの構成は、３バイトのオーバヘッドと５３バイトのＡＴＭセルであり、任意の位置のＡＴＭセルにＰＬＯＡＭセルを配置してもよい。国際標準ＩＴＵ−Ｔ  Ｇ．９８３．１によると、図３記載のシステム形態において、ＯＬＴ１０１はＰＯＮに接続された複数のＯＮＴ１０２〜１０４を図５に示したＯＬＴ個別ＯＮＵ対応部の状態遷移表でそれぞれに対して独立して状態を管理するものである。
【０００６】
以下、図５に示したＯＬＴ個別ＯＮＵ対応部の状態遷移動作を説明する。
図５において、横に並ぶ縦列は、初期状態（ＯＬＴ−ＩＤＶ１）、遅延測定状態（ＯＬＴ−ＩＤＶ２）、運用状態（ＯＬＴ−ＩＤＶ３）の３つの状態を示している。初期状態（ＯＬＴ−ＩＤＶ１）は、対応したＯＮＵに対して起動がかけられていないか、何らかの障害により起動動作を一時的に初期化することを示す状態である。遅延測定状態（ＯＬＴ−ＩＤＶ２）は、ＯＬＴとＯＮＵの伝送距離によるセルの伝送遅延を測定している状態である。また、運用状態（ＯＬＴ−ＩＤＶ３）は、伝送距離によるセルの伝送遅延の測定が終了し、ＯＮＵがＯＬＴからこの遅延測定情報を通知されることで、上り伝送方向に対してＯＮＵが遅延を補正したタイミングで上り伝送方向セルを送出している状態を示す。
上から下に順に横方向を規定する行は、それぞれ遅延測定開始命令（ｎ）、遅延測定完了（ｎ）、遅延測定異常停止（ｎ）、各保守信号（ＬＯＳｉ、ＣＰＥｉ、ＬＣＤｉ、ＯＡＭＬｉ、ＬＯＡｉ、Ｒ−ＩＮＨｉ）の検出の４つの状態遷移イベントを示している。ｎは子局の番号を表している。遅延測定開始命令（ｎ）は、初期状態において、ＯＮＵを起動する際に発行される命令である。遅延測定完了（ｎ）は、遅延測定状態において、遅延測定を行ったＯＮＵに対して正常に遅延測定が終了した場合に発行される。遅延測定異常停止（ｎ）は、遅延測定状態において、遅延測定を行ったＯＮＵに対して正常に遅延測定が終了しなかった場合に発行される。各保守信号は、運用状態において、図６に示す条件において検出および解除される信号である。
【０００７】
ＯＮＵ３番（ｎ＝３）の動作を例として図５を説明する。初期状態（ＯＬＴ−ＩＤＶ１）にあるＯＮＵ３番は、状態遷移イベントである遅延測定開始命令（ｎ）を受け、遅延測定状態（ＯＬＴ−ＩＤＶ２）に遷移する。ここで、遅延測定が完了すると状態遷移イベントである遅延測定完了（ｎ）を受信して運用状態（ＯＬＴ−ＩＤＶ３）に遷移するが、遅延測定が何らかの理由により失敗すると状態遷移イベントである遅延測定異常停止（ｎ）を受信して初期状態（ＯＬＴ−ＩＤＶ１）に遷移する。運用状態（ＯＬＴ−ＩＤＶ３）にあるＯＮＵ３番対応のＯＬＴ個別ＯＮＵ対応部は以後ＯＮＵ３番対応の各保守信号（ＬＯＳｉ、ＣＰＥｉ、ＬＣＤｉ、ＯＡＭＬｉ、ＬＯＡｉ、Ｒ−ＩＮＨｉ）を監視し、これらの保守信号のどれか１つでも検出すると、初期状態（ＯＬＴ−ＩＤＶ１）に遷移する。この後運用状態にないＯＮＵ３番対応のＯＬＴ個別ＯＮＵ対応部は、定期的に発生する遅延測定開始命令（ｎ）により再度運用状態への起動を実施される。
【０００８】
以下、図７に示したミニスロットの動作を説明する。
運用状態にあるＯＮＵは、図４に示す下りフレームフォーマット１５１および上り方向のフレームフォーマット１５２で通信を行うが、あるセル位相に注目すると、あるセルが図７に示す上りフレーム１６１の分割スロット１６２で運用され、ＯＮＵがミニスロット１６３を送出する場合がある。これは、ＯＬＴがある上りセル位相を分割スロット１６２に設定した場合、その分割スロット１６２に、複数のＯＮＵがミニスロット１６３を送出するものである。この際、複数のＯＮＵからのミニスロット１６３は、互いに衝突しないようにＯＬＴから制御を受けるものである。ＯＬＴは、衝突を避けるためＯＮＵに分割スロット１６２の先頭からの位相（オフセット）とＯＮＵに対応したミニスロット１６３の長さ情報を個別に設定する。
【０００９】
以下、図８に示されるミニスロットを適用したシステムの運用例として、上り伝送方向の動的帯域割り当て（ＤＢＡ）の制御を説明する。
通常のセルとは別に複数のＯＮＵからＯＬＴ方向に個別の通信チャネルと同等機能を有するミニスロットを適用して、上り伝送方向の動的帯域割り当て（ＤＢＡ）が動作する。つまり、ミニスロットを用いてＯＮＵ毎のＯＮＵ内上り伝送方向バッファ状態をＯＬＴに通知し、ＯＬＴはこのミニスロットの内容を抽出して各ＯＮＵのバッファ状態を検出する。即ち、ミニスロット情報を基に各ＯＮＵに対する上り伝送帯域を動的に割当て直す制御方法とする。この制御方法を適用する際には、ミニスロットによる上り伝送帯域制御の実施の前に、ＯＬＴがミニスロットに対応可能なＯＮＵかどうかを検出する必要がある。
図８において、１７１は、各ＯＮＵに対してＯＬＴが任意の上り方向の帯域を設定している場合を示す上りフレームのセル配置を示す。１７１の上り方向セル配置において、ＯＮＵ＃１はＯＮＵ１番に設定した帯域によるＯＮＵ１番からのセルを示し、ＯＮＵ＃２およびＯＮＵ＃３についても同様にセルを示す。この状態において全ＯＮＵはミニスロットにより上り方向セルバッファの状態を常時ＯＬＴに通知しており、例えば、ＯＮＵ１番のＯＮＵ内の上り方向セルバッファの状態がＯＬＴで設定したバッファしきい値を越えたと判断された場合、ＯＬＴはＯＮＵ１番に対して現在割り当てている上り方向の帯域より大きな帯域を一時的に設定するため、１７２に示すような使用されていない上り方向帯域が、ＯＮＵ１番に割り当てられていることを示す上りフレームのセル配置に変更される。
【００１０】
【発明が解決しようとする課題】
従来のＰＯＮの物理インタフェースを規定する国際標準ＩＴＵ−Ｔ  Ｇ．９８３．１の分割スロット上のミニスロット制御方法は、分割スロットおよびミニスロットのフォーマット構成の規定や上り方向の通常セルに関するＯＬＴ個別ＯＮＵ対応部の状態遷移の定義にとどまっており、ミニスロットに関する保守信号の規定やミニスロットを適用した上り伝送方向の動的帯域割当て（ＤＢＡ）運用時のインタフェース規定および制御方法の規定がなされていない。従って、通常セルとミニスロットの受信状態を個別に監視制御することができない。例えば、図６記載の通常セルの保守信号をミニスロットに適用した場合、ミニスロットのみが故障動作を行ったにもかかわらず、図５記載のＯＬＴ個別ＯＮＵ対応部１０６Ｂの制御により、ＯＮＵの通常セルによる状態遷移として解釈し、通信全体を中断させてしまうという課題がある。
さらに、図９は分割スロット１８１内のミニスロットの故障状態を示しており、このようにＯＮＵがミニスロットの送信位相を誤った場合に、ミニスロットの前方および後方に位置する他のＯＮＵからのセルまたはミニスロットに対して光レベルでの衝突を発生させることがある。そしてこの場合、送信位相を誤り故障を起こしているミニスロットに対して個別に制御する方法がないため、この衝突状態が保持され他のＯＮＵからのセルまたはミニスロット対して継続して通信を妨害する結果となる。特に、ＯＮＵに対してミニスロットを適用して上り伝送帯域を動的に割当てる制御を行っている場合には、このような１つのＯＮＵのミニスロットの故障により他の全ＯＮＵの通信が妨害されるという課題がある。
【００１１】
この発明は上記の課題を解決するためになされたもので、通常セルとは異なる装置管理の下で、つまり通常セルによる通信を中断させないで、かつ子局間の妨害が生じない動的帯域割当て（ＤＢＡ）を行うことを目的とする。
【００１２】
【課題を解決するための手段】
この発明に係る受動光ネットワークにおけるミニスロット制御システムは、親局と複数の子局とで構成され、親局への上りフレームと子局への下りフレームとで交信する受動光ネトワークにおける制御システムにおいて、
ミニスロットに関するミニスロット保守信号を設定し、上記親局は、個々の上記子局からのミニスロットの受信状態に基いて上記保守信号を検出する個別子局対応部、を備えた。
【００１３】
また更に、親局は、
（１）Ｎ（Ｎは正の整数）回連続して上記ミニスロットを期待する期間に有効な光信号を受信しないか、
（２）Ｎ回連続して無効なデリミッタを受信するか、
（３）有効なデリミッタを受信できる場合に、受信したミニスロットの位相が制限を超過し、子局で調整が出来ないか、
のいずれかの状態を検出した場合にミニスロットに関する保守信号を検出するようにした。
また更に、Ｎは８とした。
【００１４】
また更に、親局は、検出した保守信号に基いて対応する子局の上りフレームの帯域を割当てる動的帯域割当て制御機能部を備えた。
また更に、親局は、
動的帯域割当て制御機能部が制御する運用状態において、個別子局対応部が分割スロットグラントと一致する光信号を受信した場合にミニスロットに関する保守信号を解除するようにした。
また更に、動的帯域割当て制御機能部は、各子局の上りフレームの帯域を動的に割当てるようにした。
また更に、動的帯域割当て制御機能部は、自身が制御する運用状態において、個別子局対応部が検出するミニスロット保守信号と関連して上記運用の状態遷移を行うようにした。
【００１５】
また更に、親局は、検出した保守信号に基いて各子局の運用の状態を制御するようにした。
この発明に係る受動光ネットワークにおけるミニスロット制御方法は、親局と複数の子局とで構成されて上記親局への上りフレームと上記子局への下りフレームとで相互に交信する受動光ネットワークにおける制御方法において、
ミニスロットに関するミニスロット保守信号を設定するステップと、
上記親局において、個々の上記子局からのミニスロットの受信状態に基いて上記保守信号を検出するステップと、を備えた。
また更に、親局は、
（１）Ｎ（Ｎは正の整数）回連続して上記ミニスロットを期待する期間に有効な光信号を受信しないか、
（２）Ｎ回連続して無効なデリミッタを受信するか、
（３）有効なデリミッタを受信できる場合に、受信したミニスロットの位相が制限を超過し、子局で調整が出来ないか、
のいずれかの状態を検出した場合にミニスロットに関する保守信号を検出するようにした。
また更に、Ｎは８であるとした。
また更に、親局は、検出した保守信号に基いて対応する子局の上りフレームの帯域を割当てる動的帯域割当て制御ステップ、を備えた。
また更に、親局は、
動的帯域割当て制御ステップで制御する運用状態において、分割スロットグラントと一致する光信号を受信すると、ミニスロットに関する保守信号を解除する、保守信号解除ステップ、を備えた。
また更に、動的帯域割当て制御ステップでは、各子局の上りフレームの帯域を動的に割当てるようにした。
【００１６】
【発明の実施の形態】
実施の形態１．
以下、この発明の実施の形態について説明する。
図１は、本発明の動作を説明するために新たに設定したミニスロット用の保守信号である。
保守信号の種類として、ミニスロット受信断（ＬＯＳ−Ｄｉ）Ｉ５１、ミニスロット同期外れ（ＬＣＤ−Ｄｉ）Ｉ５２、ミニスロット受信位相異常（ＣＰＥ−Ｄｉ）Ｉ５３、ミニスロットブロック誤り（ＥＲＲ−Ｄｉ）Ｉ５４を通常セルの保守信号とは別に新規に設定している。
【００１７】
図２は、図１記載のミニスロット用の保守信号とＯＬＴがＯＮＵを個別に制御する状態とを関連付けた状態遷移表である。これにより、新たに個別ＯＮＵ対応部１０６とＤＢＡ制御機能手段１０９において各ＯＮＵに対応した上り伝送方向の動的帯域割当て（ＤＢＡ）を個別に行って管理制御している。即ち、本実施の形態においては、個別ＯＮＵ対応部１０６とＤＢＡ制御機能手段１０９は、ミニスロットを適用したＤＢＡの制御状態として、横に並ぶ縦列のＤＢＡ停止状態（ＤＢＡ−ＳＴ１）Ｓ１、ＤＢＡ運用待機状態（ＤＢＡ−ＳＴ２）Ｓ２、ＤＢＡ運用状態（ＤＢＡ−ＳＴ３）Ｓ３の３つの状態を設定している。また、これらの状態の変化を起こさせる状態遷移イベントとして、上から下に順に横方向を規定する、ＤＢＡ機能自体を動作させるかどうかを指示するＤＢＡ機能停止命令の検出イベントＩ１と、ＯＬＴがＯＮＵを個別に制御する状態と保守信号であるＩＤＶ１、ＩＤＶ２、ＬＯＳｉ、ＬＣＤｉ、ＣＰＥｉ、ＯＡＭＬｉ、ＬＯＡｉ、Ｒ−ＩＮＨｉのいずれかの検出イベントＩ２と、更に別に、ＢＤＡ機能停止命令を未検出で、かつＩＤＶ３の検出イベントＩ３と、さらに、ＯＮＴ−ＤＢＡタイプの認識終了イベントＩ４と、最後にミニスロットの保守信号であるＣＰＥ−Ｄｉの検出イベントＩ５とを設定している。なおｉは１〜ｎの子局の番号を示している。
【００１８】
次に図１記載のミニスロット用の保守信号について説明する。
ミニスロット受信断（ＬＯＳ−Ｄｉ）は、ＯＬＴのＯＮＵｉ対応Ｏ／Ｅ受信部においてｎ回連続して上りミニスロットを期待する区間に有効な光信号を受信しない場合に検出とし、ＤＢＡ運用状態（ＤＢＡ−ＳＴ３）で、ＯＬＴがその分割スロットＧＲＡＮＴと一致する光信号を受信した場合に解除とする。
ミニスロット同期外れ（ＬＣＤ−Ｄｉ）は、ＯＬＴのＯＮＵｉ対応受信部においてｎ回連続して無効なデリミッタを受信した場合に検出とし、ＤＢＡ運用状態（ＤＢＡ−ＳＴ３）で、有効なミニスロットを受信した場合に解除とする。
ミニスロット受信位相異常（ＣＰＥ−Ｄｉ）は、ＯＬＴが正しいデリミッタを受信できる時に、受信ミニスロットの位相が制限を超過し、ＯＬＴで調整不可能な場合に検出とし、ＤＢＡ運用状態（ＤＢＡ−ＳＴ３）で、正しい位相のミニスロットを受信した場合に解除とする。
ミニスロットブロック誤り（ＥＲＲ−Ｄｉ）は、ミニスロットに付加されたＣＲＣ演算結果とＯＬＴが計算したＣＲＣ演算結果が一致しない場合に検出とし、次のミニスロットを受信した時に解除とする。
【００１９】
図１で説明したミニスロットに対応した保守信号を適用したＰＯＮシステムにおいて、ＯＬＴ個別ＯＮＵ対応部１０６によりＯＮＵを個別に制御する状態と、ミニスロット用の保守信号を関連付け、さらにＤＢＡ制御機能手段１０９により、各ＯＮＵに対応した上り伝送方向の動的帯域割当て（ＤＢＡ）を個別に管理制御する。即ち図２に示した状態遷移表にしたがって、ＯＬＴが上り伝送方向の動的帯域割当て（ＤＢＡ）を実施する。
【００２０】
図２にしたがって、ＯＬＴ個別ＯＮＵ対応部１０６により行われるＯＮＵを個別制御の状態と、ミニスロット用の保守信号をどのように関連付けて上り伝送方向の動的帯域割当て（ＤＢＡ）を行うかのミニスロットの状態遷移管理を説明する。
ＤＢＡ停止状態（ＤＢＡ−ＳＴ１）にある個別ＯＮＵ対応部１０６は、最初の動的帯域割当て（ＤＢＡ）機能を動作させる状態、つまり、ＤＢＡ機能停止命令が未検出の状態において、更にＯＬＴの各ＯＮＵ状態を個別に制御するＯＬＴ個別ＯＮＵ対応部（ｎ）の状態がＩＤＶ３（運用状態）であることを検出すると、ＤＢＡ運用待機状態（ＤＢＡ−ＳＴ２）に遷移する。ここで、通常セルに対して何らかの保守信号（ＬＯＳｉ、ＬＣＤｉ、ＣＰＥｉ、ＯＡＭＬｉ、ＬＯＡｉ、Ｒ−ＩＮＨｉ）か、ＯＬＴ個別ＯＮＵ対応部（ｎ）の状態がＩＤＶ１（初期状態）かＩＤＶ２（遅延測定状態）を検出すると、該当ＯＮＵが運用状態にないことを検出して、分割スロットＧＲＡＮＴの設定を解除して再びＤＢＡ停止状態（ＤＢＡ−ＳＴ１）に遷移する。
【００２１】
また、ＤＢＡ運用待機状態（ＤＢＡ−ＳＴ２）にある個別ＯＮＵ対応部がＩＴＵ−ＴＧ．９８３．２によりＯＮＴ−ＤＢＡタイプの認識を終了すると、分割スロットＧＲＡＮＴの設定を行い、ＤＢＡ運用状態（ＤＢＡ−ＳＴ３）に遷移する。ＤＢＡ運用状態（ＤＢＡ−ＳＴ３）にあるＯＬＴ個別ＯＮＵ対応部（ｎ）は、通常セルに対して何らかの保守信号（ＬＯＳｉ、ＬＣＤｉ、ＣＰＥｉ、ＯＡＭＬｉ、ＬＯＡｉ、Ｒ−ＩＮＨｉ）か、ＯＬＴ個別ＯＮＵ対応部（ｎ）の状態がＩＤＶ１かＩＤＶ２を検出すると、該当ＯＮＵが運用状態にないことを検出して、分割スロットＧＲＡＮＴの設定を解除してＤＢＡ停止状態（ＤＢＡ−ＳＴ１）に遷移する。また、ミニスロットに関する保守信号であるミニスロット受信位相異常（ＣＰＥ−Ｄｉ（ｎ））を検出すると、分割スロットＧＲＡＮＴの設定を解除するとともにＤＢＡ運用待機状態（ＤＢＡ−ＳＴ２）に遷移する。
また、動的帯域割当て（ＤＢＡ）機能を停止させる目的において、動的帯域割当て（ＤＢＡ）機能を個別に管理するＤＢＡ制御機能手段１０９がＤＢＡ機能停止命令を検出した場合には、ＤＢＡ停止状態（ＤＢＡ−ＳＴ１）に遷移する。
この実施の形態では、ミニスロット受信位相異常（ＣＰＥ−Ｄｉ）のみを１つのイベントとして設定しているが、このミニスロット受信位相異常（ＣＰＥ−Ｄｉ）に加え、ミニスロット同期外れ（ＬＣＤ−Ｄｉ）とミニスロット受信断（ＬＯＳ−Ｄｉ）をＯＲ条件としてイベントを設定してもよい。
本実施の形態においては、例えば図９の状態が起ったとする。その場合、図９のミニスロット１、ミニスロット２は→位相が正しくなく、従ってＣＰＥ−Ｄｉが検出される。従ってこの子局はＤＢＡ−ＳＴ２の状態に管理される。更にこの子局に対して、下りフレームに乗せて位相指示が送られ、子局はこれに基づいて位相を修正する。こうして他の子局に及ぼす影響は一時的なものになる。
【００２２】
【発明の効果】
この発明によれば、ＯＬＴがミニスロットを受信する際に通常セルとは別にミニスロット用の保守信号を設定することで、通常セルとは別にＯＮＵ毎のミニスロットを個別に監視することが可能となり、また、ミニスロットを適用した上り伝送方向の動的帯域割当て（ＤＢＡ）に対応した状態遷移表を設定することで、あるＯＮＵにミニスロット送信位相誤りなどの故障が発生した場合には、妨害を与えている通常セルや他のミニスロットから故障ミニスロットのみを分離して制御できて、故障したミニスロットが他のＯＮＵの通信へ与える妨害を少なくできる効果がある。
【図面の簡単な説明】
【図１】  この発明の実施の形態１における新たに設定したミニスロット用の保守信号例を示す図である。
【図２】  実施の形態１におけるミニスロットを適用した上り伝送方向の動的帯域割当て（ＤＢＡ）に対応した状態遷移表を示す図である。
【図３】ＰＯＮシステムおよびＯＬＴとＯＮＵ機能を説明する構成図である。
【図４】  ＰＯＮの物理インタフェースを規定する国際標準ＩＴＵ−Ｔ  Ｇ．９８３．１記載の下りおよび上りフレームフォーマットを示す図である。
【図５】  ＰＯＮの物理インタフェースを規定する国際標準ＩＴＵ−Ｔ  Ｇ．９８３．１記載のＯＬＴ個別ＯＮＵ対応部（ｎ）の状態遷移表を示す図である。
【図６】  ＰＯＮの物理インタフェースを規定する国際標準ＩＴＵ−Ｔ  Ｇ．９８３．１記載のＯＬＴがＯＮＵ毎に監視する保守信号例を示す図である。
【図７】  ＰＯＮの物理インタフェースを規定する国際標準ＩＴＵ−Ｔ  Ｇ．９８３．１記載の上りフレームと分割スロット、ミニスロットの構成図である。
【図８】  ミニスロットを適用した上り伝送方向の動的帯域割当て（ＤＢＡ）動作の説明図である。
【図９】  分割スロット内に位置するミニスロットが送信位相を誤り、他の通常セルやミニスロットに対して妨害を与えることを説明する図である。
【符号の説明】
１０１  ＯＬＴ（親局）、１０２，１０３，１０４  ＯＮＵ（子局）、１０６個別ＯＮＵ対応部、１０９  ＤＢＡ制御機能部、Ｉ１  ＢＤＡ機能停止命令検出、Ｉ２  ＩＤＶ１，ＩＤＶ２，ＬＵＳｉ，ＬＣＤｉ，ＣＰＥｉ，ＯＡＭＬｉ，ＬＯＡｉ，Ｒ−ＩＮＨｉ検出、Ｉ３  ＢＤＡ機能停止命令は未検出でかつＩＤＶ３検出、Ｉ４  ＯＮＴ−ＤＢＡ認識終了検出、Ｉ５  ＣＰＥ−Ｄｉ検出、Ｉ５２ＬＣＤ−Ｄｉ検出、Ｉ５３  ＣＰＥ−Ｄｉ検出、Ｉ５４  ＥＲＲ−Ｄｉ検出、Ｓ１  ＤＢＡ停止状態、Ｓ２  ＤＢＡ運用待機状態、Ｓ３  ＤＢＡ運用状態。
【図１】
0003949906.tif 000002
【図２】
0003949906.tif 000003
【図３】
0003949906.tif 000004
【図４】
0003949906.tif 000005
【図５】
0003949906.tif 000006
【図６】
0003949906.tif 000007
【図７】
0003949906.tif 000008
【図８】
0003949906.tif 000009
【図９】
0003949906.tif 000010